(57)【要約】      （修正有）【課題】カメラの撮影に関してどんなに性能を良くしても撮影時にブレてしまってはほとんど作品としての価値がなくなる。そのためカメラ本体には、手ブレ補正という装置があるがこれとて完全なものでない。人によってカメラを握る手は、大小様々な手であることに注目しそれ等の手に最大限フィットし手ブレを最小限に抑える様考え、且つ持ち歩きにも配慮してとっさのチャンスにも対応できるように工夫し、カメラのブレを防止する。【解決手段】わずかな材料と、持ち運び時や、撮影時、すばやくセット出来る利点がありボタン操作しやすい。【選択図】図４
0003126358.tif 000002
【実用新案登録請求の範囲】
【請求項１】
カメラＢの底の部分に本案の底板１を固定ネジ４で固定し底板１の一端に回転軸５を有してここに手の平あて部２を開閉出来るように設けてある。
尚底板１には軸６によって回転するストッパー３が付いている。
【考案の詳細な説明】
【技術分野】０００１      カメラの撮影の際にカメラがブレて失敗したということは誰しも経験するところです。この失敗をなくすために、三脚あるいは一脚などを使ってみるが重さも重いしかさ張る上にこれ等がないからといって撮影できないものではないので、ついカメラだけ持って出かけることが多い。カメラ本体にも手ブレ補正という装置は入っているがこれも万全ではない。
特にビデオカメラのように一定時間固定しておかないといけない撮影についてはブレを出来るだけ少なくし水平を保つよう撮影しなければならないと常に心がけているのがカメラマンの現状です。
そこで何とか少しでもカメラを持つ手にフィットさせて撮影し易くブレの少ない映像を得ようとしたのが本案です。
【背景技術】０００２      これまでは撮影に際してブレを防ぐ方法として三脚や一脚などの器具がありますが小型化したカメラに比べて大きな荷物で重量もありアンバランスすぎることや、突然の撮影チャンスにはまったく対応できないのが三脚や一脚の欠点です。
そんなことで三脚や一脚を持ち歩く人が少ないわけです。それではカメラだけのときにブレを少しでも少なくするにはどうしたら良いのかといって考え出されたのがカメラ本体に取り込まれている手ブレ補正装置ですがこれとてそれほど満足できるものでないことは、誰しも経験するところです。ではもうこれ以上良い手ブレ補正は出来ないのかと考え完成したのが本案の手ブレ補正具です。
【考案の開示】
【考案が解決しようとする課題】０００３      撮影の際カメラと手を密着できたらカメラのブレはもっと減り、持ち運びにも楽だし、バンドをそれほどきつくしなくてもカメラと手先が開くようなぶらぶら状態にならずにすみ、指先で動かすズームレバーやその他のボタンの操作が楽になるので操作中カメラがブレることが少なくなった。
カメラを買った後はそのカメラを大勢の人がその時々に使用するのですが手の大きさはまちまちですからバンドで手にフィットさせるには、カメラが小型化された今ではカメラと手を上手くフィットさせるのが中々困難でこれ等もブレの一つの原因にもなっている。
カメラと手をどう関連付けてブレを防ぐかという工夫がこれまでは考えられてこなかった。ですからバンドに手を通してみるとカメラが手になじまない状態がしばしばある。
カメラと手が一体化出来ればブレはそれだけ減ることは事実です。
【課題を解決するための手段】０００４      カメラの底にある三脚などを取り付けるネジ穴に本案の取り付けネジ４で底板１を締め付け固定する。（手の平あて部２はカメラＢの手の平に当たる部分と一面状態になるようにする５図参照）
また底板１の一端には回転軸５を有して手の平あて部２が取り付けてあるので、カメラＢのバンドに手Ａを入れた時にカメラＢの手Ａにあたる部分と手の平あて部２が手Ａの平にぴったりフィットするように設定してある。（同じく５図参照）
次に軸６により回転できるストッパー３を回転させて手の平あて部２の前まで持ってくるとストッパー３が障害となって手の平あて部２が２図のように折りたためなくなり３図、４図、５図のようにほぼ直角のあたりでそれ以上は折りたためない。
これによってカメラＢの手の平に当たる部分と本案の手の平あて部２と合わせた合計面積でカメラＢを支えるようになり安定した保持が出来る。（５図参照）
撮影時ばかりでなく待機時にもカメラＢが手Ａにフィットしているのでとっても楽だし  カバンなどに入れて持ち運ぶときには、ストッパー３を元に戻せば手の平あて部２が２図のように折りたためるのであまり邪魔にならない。
【考案の効果】０００５      以上説明してきたようにカメラマンにとって手ブレを防ぐことは大きな課題のひとつですが手ＡとカメラＢをなるべく固定化するように考えたことにより手ブレを減らすことが出来たり、手Ａの指先が割合自由に動くのでレバーやボタンなどの操作がしやすい。
撮影の一時待機時にも持ち替えなどしなくても楽だし、カバンなどで持ち歩くときにも取ったり付けたりせず長期間取り付けたまま撮影に利用出来るなどの効果がある。
【図面の簡単な説明】
【図１】本案を開いた平面図
【図２】本案を畳んだ平面図
【図３】手の平あて部２を開いた平面図
【図４】本案を使用状態にした見取り図
【図５】本案をカメラＢに装着し、手Ａをバンドに通して保持した参考図
【符号の説明】
１    カメラに取り付ける底板
２    手の平あて部
３    ストッパー
４    固定ネジ
５    回転軸
６    軸
Ａ    カメラを保持する手
Ｂ    カメラ
【図１】
0003126358.tif 000003
【図２】
0003126358.tif 000004
【図３】
0003126358.tif 000005
【図４】
0003126358.tif 000006
【図５】
0003126358.tif 000007
【手続補正書】
【提出日】平成18年4月9日(2006.4.9)
【手続補正１】
【補正対象書類名】明細書
【補正対象項目名】０００４
【補正方法】変更
【補正の内容】
【０００４】  カメラの底にある三脚などを取り付けるネジ穴に本案の取り付けネジ４で底板１を固定する（手の平あて部２はカメラＢの手の平に当たる部分と一面状態になるようにする５図参照）また底板１の一端には回転軸５を有して手の平あて部２が取り付けてあるのでカメラＢのバンドに手Ａを入れた時にカメラＢの手Ａにあたる部分と手の平あて部２が手Ａの平にぴったりフィットするように設定してある。（同じく５図参照）
次に軸６により回転できるストッパー３を回転させて手の平あて部２の前まで持ってくるとストッパー３が障害となって手の平あて部２が２図のように折りたためなくなり３図、４図、５図のようにほぼ直角のあたりでそれ以上は折りたためなくなり固定する。
これによってカメラＢの手の平に当たる部分と本案の手の平あて部２との全体でカメラＢを支えるようになり安定した保持が出来る。（５図参照）本案のストッパー３は底板１につけた状態で説明しているが手の平あて部２に取り付けても操作はほとんど同じで効果は変わらないから底板１でも手の平あて部２でも良い。撮影時ばかりでなく待機時にもカメラＢが手Ａにフィットしているので手に持っているのが楽だしカバンなどに入れて持ち運ぶときには、ストッパー３を元に戻せば手の平あて部２が２図のように折りたためるのであまりかさ張らないですむ利点がある。
【手続補正書】
【提出日】平成18年7月3日(2006.7.3)
【手続補正１】
【補正対象書類名】実用新案登録請求の範囲
【補正対象項目名】全文
【補正方法】変更
【補正の内容】
【実用新案登録請求の範囲】
【請求項１】
カメラを持つ手のひらを固定させるための板と、折りたたみ可能なその板を支えるためのストッパーが回転軸で接続されている底板を、カメラの底部にネジで固定することにより、撮影時カメラが手の平にぴたっとなじむブレ防止具。